(57)【要約】【課題】電気モータの内部に洗浄水の跳ね返り水が侵入する可能性を排除すること。【解決手段】シャワー用ノズル本体２０の下面に形成したラック２１が水滴をつけたまま原位置に上昇し、ラック２１と噛み合うピニオン１２がその水滴を運んでも、シャワー用電気モータ１１には、外周を囲む周面部８２及びコネクタ１５を覆う防水カバー８０が設けられており、また、シャワー用電気モータ１１の一端を覆い、下端はシャワー用電気モータ１１の最下端よりも下に位置するから、ピニオン１２が水滴をシャワー用電気モータ１１の一端を覆う防水カバー８０の表面側に運んでも、水滴が防水カバー８０の表面に沿って流れ、シャワー用電気モータ１１側に入り込む可能性がなくなる。【選択図】図７
2007239246.tif 000002
【特許請求の範囲】
【請求項１】
下面にラックを形成し、前記ラックと噛み合うピニオンの回転によってスライド移動自在としたノズル本体と、
前記ピニオンを回転させる電気モータと、
前記ノズル本体をスライド移動自在に保持し、前記ノズル本体がスライド移動する直線軌道の下部に電気モータを取付ける本体ベースと、
少なくとも前記電気モータの上部及び前面の外周及び前記電気モータのコネクタを覆う防水カバーと
を具備することを特徴とする人体局部洗浄装置。
【請求項２】
前記防水カバーは、前記ラックと噛み合うピニオンを軸支することを特徴とする請求項１に記載の人体局部洗浄装置。
【請求項３】
前記防水カバーは、前記コネクタに接続されるリード線及び／または前記ノズル本体に洗浄水を供給する流体管を保持することを特徴とする請求項１または請求項２に記載の人体局部洗浄装置。
【請求項４】
前記防水カバーは、前記電気モータを一体に接合し、前記電気モータを前記本体ベースに取付ける際に、前記防水カバーと前記本体ベースとの取付けによって行うことを特徴とする請求項１乃至請求項３の何れか１つに記載の人体局部洗浄装置。
【請求項５】
前記防水カバーは、前記電気モータを覆った下端が前記電気モータの下部よりも下に位置することを特徴とする請求項１乃至請求項４の何れか１つに記載の人体局部洗浄装置。
【発明の詳細な説明】
【技術分野】
【０００１】
本発明は、水洗便器に設置される人体局部洗浄装置に関し、特に、洗浄水を噴出するノズルに付着した水滴の侵入を防止した人体局部洗浄装置に関するものである。
【背景技術】
【０００２】
一般に、この種の人体局部洗浄装置は、衛生洗浄装置本体と、操作入力部と、人体局部を洗浄する洗浄ノズルと、前記洗浄ノズルを人体局部前後方向と同一方向に進退可動に支持するノズル支持台と、前記ノズル支持台上で前記洗浄ノズルを進退駆動するパルス同期モータとを備え、前記洗浄ノズルには後退限度を規制する後退ストッパーを設け、前記衛生洗浄装置本体へ給電を開始した場合または前記操作入力部から洗浄停止操作を行った場合に、前記パルス同期モータにより前記洗浄ノズルに設けた後退ストッパーを前記ノズル支持台に当接させて、前記洗浄ノズルの実体原点位置を設定し、その原点を基準に前記洗浄ノズルの位置制御を行う制御器を設けるとともに、前記洗浄ノズルの実体原点位置を設定する制御シーケンスにおいて、前記パルス同期モータへ前記洗浄ノズルの現在位置から原点位置までの移動距離に相当する所定パルス数を印加した後、パルス周波数をより高い値に変更して進退可動距離以上の移動距離に相当する所定パルス数を印加する構成のものである。
【０００３】
具体的には、従来の人体局部洗浄装置として特許文献１の発明がある。即ち、衛生洗浄装置本体へ給電を開始した場合または洗浄停止操作を行った場合に、洗浄ノズルを進退駆動させ、ノズル支持台に当接させるもので、洗浄ノズルの実体原点位置を設定する制御シーケンスにおいて、パルス同期モータへ前記洗浄ノズルの現在位置から原点位置までの移動距離に相当する所定パルス数を印加した後、パルス周波数をより高い値に変更して進退可動距離以上の移動距離に相当する所定パルス数を印加することで、この種モータのパルス周波数に応じて出力トルクが低下する特性を利用してモータロック中の駆動機構に対する負荷を低減し耐久性を向上することができる技術が開示されている。
【特許文献１】特許第３４５３９４５号
【発明の開示】
【発明が解決しようとする課題】
【０００４】
ところで、上記特許文献１では、洗浄ノズルに形成されたラックが、電気モータで回転させられるピ二オンと噛み合っているから、電気モータが所定の方向に回転すると、電気モータの回転がピ二オンを介してラックに伝えられ、洗浄ノズルが前進し、洗浄ノズルの先端から噴出される洗浄水により人体局部の洗浄がなされる。洗浄の後、洗浄ノズルが後退して原位置方向に戻るように電気モータが回転し、洗浄ノズルは原位置に復帰する。
洗浄の際、洗浄水が人体局部から反射して、ノズルの先端部周辺に飛沫となって飛び散る。飛び散った洗浄水は、ラックにも付着して、ノズルが原位置に復帰すると、ピニオンを伝わり、電気モータの出力軸を介して電気モータの内部に侵入する可能性がある。飛び散った洗浄水は飛沫であり、その一部がモータの出力軸を介して内部に侵入する可能性があるものの、電気モータの内部に浸入する水は量的には僅かである。しかし、度重なる侵入により、電気モータに不具合が生じかねない。
【０００５】
そこで、この発明はかかる不具合を解決するためになされたもので、電気モータの内部に洗浄水の跳ね返り水が侵入する可能性を排除した人体局部洗浄装置の提供を課題とするものである。
【課題を解決するための手段】
【０００６】
請求項１にかかる人体局部洗浄装置は、下面にラックを形成し、前記ラックと噛み合う電気モータで回転させられるピニオンの回転によってスライド移動自在としたノズル本体と、前記ノズル本体をスライド移動自在に保持し、前記ノズル本体がスライド移動する直線軌道の下部に電気モータを取付ける本体ベースとを具備し、少なくとも前記電気モータの上部及び前面の外周及びコネクタを覆う防水カバーを設けたものである。
ここで、上記ノズル本体はシャワー用ノズル及び／またはビデ用ノズルとすることができる。また、上記電気モータはシャワー用ノズル及び／またはビデ用ノズルを駆動するものである。前記電気モータのリード線端子等のコネクタの取付け位置は、その周囲から取り出してもよいし、その出力軸の反対側の端面から取り出してもよい。前記電気モータの外周を覆う範囲は、前記電気モータの上部及び前面（シャッタ側が前面）の外周を覆うものであれば良い。詳しくは、前記電気モータの略１８０度以上、厳格に１８０度を意味するものではなく、原理からすれば、電気モータの中心線に対して上部及び前部で１８０度程度以上を覆う構造であればよい。しかし、電気モータの周囲との間に間隔を設けた場合には、１８０度以下の構成とすることもできるが、電気モータの中心線に対して上部及び前部で１８０度以上を覆う構造の方が緻密に防水機能を持たせることができる。
【０００７】
請求項２にかかる人体局部洗浄装置の前記防水カバーは、前記ラックと噛み合うピニオンを軸支するものである。ここで、前記防水カバーは、前記ラックと噛み合うピニオンを軸支することにより、部品数を少なくし、組み付けを簡単化することもできる。
【０００８】
請求項３にかかる人体局部洗浄装置の前記防水カバーは、前記コネクタに接続されるリード線及び／または前記ノズル本体に洗浄水を供給する流体管を保持するものである。ここで、リード線、流体管は、電気モータまたはノズル本体に接続されるものであるから、部品数を少なくし、組み付けを簡単化することもできる。
【０００９】
請求項４にかかる人体局部洗浄装置の前記防水カバーは、前記電気モータを一体に接合し、前記電気モータを前記本体ベースに取付ける際に、前記防水カバーと前記本体ベースとの取付けによって行うものである。ここで、電気モータと防水カバーは、一体に成形してもよいし、防水カバーに電気モータを接合してもよい。
【００１０】
請求項５にかかる人体局部洗浄装置の前記防水カバーは、前記電気モータを覆った下端が前記電気モータの下部よりも下に位置するものである。ここで、前記防水カバーの前記電気モータの一端を覆った下端とは、少なくとも、前記電気モータの最下端よりも下に位置し、他の部材に接触するものではなく、その防水カバーの下端は前記電気モータの下部よりも下に水滴を導くものであるが、その防水カバーの下端は前記電気モータの最下端よりも下に水滴を導くのが望ましいが、両者間の距離によっては、最下端に設定する必要はない。通常、電気モータの中心軸よりも下の位置であればよい。
【発明の効果】
【００１１】
請求項１の人体局部洗浄装置によれば、ノズル本体の下面に形成したラックが水滴をつけたまま原位置に上昇し、前記ラックと噛み合う電気モータで回転させられるピニオンが、その水滴を運んでも、少なくとも前記電気モータには、その上面及びシャッタ側の前面の外周及びコネクタを覆う防水カバーが設けられており、下端は前記電気モータの出力軸位置よりも下に位置するから、前記ピニオンが水滴を防水カバーの表面側に運んでも、水滴が防水カバーの表面に沿って流れ、電気モータ側に入り込む可能性がなくなる。仮に、電気モータの出力軸に水滴が付いても、水滴が防水カバーで遮断され、電気モータの内部にまで浸透しなくなる。また、防水カバーは、少なくとも前記電気モータの上部及び前面の外周及びリード線端子等のコネクタを覆うものであるから、前記電気モータに電力または信号を送受するコネクタにも水が滲み込むことがない。
【００１２】
請求項２にかかる人体局部洗浄装置は、前記防水カバーが前記ラックと噛み合うピニオンを軸支するものであるから、請求項１の効果に加えて、部品の組みつけが容易になる。
【００１３】
請求項３にかかる人体局部洗浄装置は、前記防水カバーが前記コネクタに接続されるリード線及び／または前記ノズル本体に洗浄水を供給する流体管を保持するものであるから、請求項１または請求項２の効果に加えて、水滴の流れる方向以外にリード線及び／または流体管を設けることを回避でき、リード線及び／または流体管に水が伝うのを防止できる。
【００１４】
請求項４にかかる人体局部洗浄装置の前記防水カバーは、前記電気モータを一体に接合し、前記電気モータを前記本体ベースに取付ける際に、前記防水カバーと前記本体ベースとの取付けによって行うものであるから、請求項１乃至請求項３の何れか１つに記載の効果に加えて、接着剤等で両者間の間隙を少なくしたり、一体成形を行ったりして、前記防水カバーと前記電気モータとの間の隙間をなくし、前記本体ベースから前記防水カバーを介して前記電気モータに進入し難くすることができる。
【００１５】
請求項５にかかる人体局部洗浄装置の前記防水カバーは、前記電気モータを覆った下端が前記電気モータの下部よりも下に位置するものであるから、請求項１乃至請求項４の何れか１つに記載の効果に加えて、前記電気モータの下部よりも下に位置するから、水滴が流れるとき、前記防水カバーの表面から前記電気モータ側及びコネクタ側に回り込むことがない。
【発明を実施するための最良の形態】
【００１６】
以下、本発明の実施の形態について、図面に基づいて説明する。
図１は本発明の実施の形態１における人体局部洗浄装置の全体斜視図、図２は同じく人体局部洗浄装置の右側面図、図３は同じく人体局部洗浄装置の左側面図、図４は図２の矢印Ａ方向から見たＡ矢視図、図５は同じく人体局部洗浄装置のノズル本体を下方向に移動させた状態の右側面図、図６は同じく人体局部洗浄装置のシャワー用ノズル本体の長さ方向の中央拡大断面図である。また、図７は同じく人体局部洗浄装置の防水カバーの斜視図であり、図８は同じく人体局部洗浄装置の防水カバーの取付け状態を示す要部断面図である。そして、図９は同じく人体局部洗浄装置の他の事例の防水カバーの斜視図であり、図１０は同じく人体局部洗浄装置の防水カバーの取付け状態を示す要部断面図である。
【００１７】
まず、図１乃至図８を用いて、本実施の形態の人体局部洗浄装置のシャワー用ノズル本体２０側について説明する。
図１乃至図８において、本体ベース２は本実施の形態１にかかる人体局部洗浄装置１０の骨子となるもので、合成樹脂またはアルミニウム等で形成され、各種の部品が取付けられる。シャワー用電気モータ１１は、１個以上のギアを介してシャワー用ノズル本体２０を移動させるピニオン１２を正回転または逆回転させ、そのピニオン１２と噛み合うラック２１によってシャワー用ノズル本体２０を上下方向（その長さ方向）にスライド移動（摺動）させるものである。即ち、本体ベース２には、シャワー用ノズル本体２０がスライド移動する長さ方向に案内する図示しない案内溝が形成され、シャワー用ノズル本体２０はそれに係合している。シャワー用ノズル本体２０はその図示しない案内溝に沿って直線運動を行うことになる。このシャワー用ノズル本体２０は、上下の対向する平行面からなる２面を直線平面とし、その下方の面にラック２１を形成している。このラック２１は、シャワー用ノズル本体２０を上下方向にスライド移動する範囲以上に形成されている。このように、シャワー用ノズル本体２０にラック２１を配設した範囲は、ピニオン１２を正回転または逆回転させることによって、シャワー用ノズル本体２０を移動させる移動駆動部２２を形成している。
【００１８】
シャワー用ノズル本体２０の内部には、流体管４２が設けられることにより、シャワー用ノズル本体２０の内部には、第１通路２０ａと第２通路２０ｂが画成される。第１通路２０ａ（第２通路２０ｂ）の基端側は、ポート２５ａ（２５ｂ）、ホース４１ａ（４１ｂ）を介して、モータ６６により駆動される流量調整弁を兼ねる水路切換弁６５の吐出ポート（図示略）に連結されている。しかして、水路切換弁６５の入力ポート６５ａに圧送された温水は、図示されない制御機構に指示されたシャワー洗浄態様に応じて、ホース４１ａのみ（ホース４１ａ及び４１ｂ）並びにポート２５ａのみ（ポート２５ａ及び２５ｂ）を介して、第１通路２０ａのみ（第１通路２０ａ及び第２通路２０ｂ）に導入された後、噴射ロ３６とラップする噴射ガイドロ３７から臀部に向けて噴射される。温水の圧力、流量及び通過通路を変更することにより、洗浄面積や噴出高さを変更できるようになっている。
【００１９】
本実施の形態においては、移動駆動部２２が、シャワー用ノズル本体２０の認識しやすさにより平行面からなる２面を直線平面としている。しかし、本発明を実施する場合には、少なくとも一面、即ち、下方向の面を平面とし、その平面を用いてラック２１を形成するものであればよい。勿論、この平面は、歯と歯の間の歯底面のみを平面とするものであってもよい。したがって、移動駆動部２２は、ラック２１と噛み合い、回転自在に固定されたピニオン１２の回転によって本体ベース２から進退する伸縮移動自在となる。
【００２０】
シャワー用ノズル本体２０の移動駆動部２２の下端には、移動駆動部２２の径よりも小さい径で、かつ、その外周を円筒状に形成した小径部２６を有している。また、小径部２６の外周の下端付近には、Ｏリング２７が配設されている。そして、小径部２６の中央部より移動駆動部２２寄りには、略円柱状で１〜３ｍｍ程度の高さの係合片２８が配設されている。そして、シャワー用ノズル本体２０の小径部２６には、小径部２６を覆うように挿着されるノズルカバー３０を有している。ノズルカバー３０は、Ｏリング２７と弾接する内径を有し、シャワー用ノズル本体２０の長さ方向に挿入するとき、小径部２６に配設した係合片２８を所定の位置までガイドし、かつ、係合片２８の幅以下の溝を部分的に形成してなる図示しないスリットを有している。このスリットは、係合片２８との間で、スナップ動作によって係合するものである。ノズルカバー３０の回転角度は、本実施の形態では、シャワー用ノズル本体２０の上面も平面とした外形としているから、シャワー用ノズル本体２０の移動駆動部２２の外周形状とノズルカバー３０の外周形状が一致したとき、即ち、長さ方向の直角断面が略円形であるから、シャワー用ノズル本体２０の上平面が移動駆動部２２とノズルカバー３０の上平面が一致したとき、係合位置となり、これは、視覚的でも確認でき、手触りでも確認できる。
【００２１】
このように、本発明の実施の形態における人体局部洗浄装置１０のシャワー用ノズル本体２０は、一面を平面とし、その平面にラック２１を形成し、ラック２１と噛み合う回転自在に固定されたピニオン１２の回転によって、本体ベース２から伸縮移動自在とした移動駆動部２２と、移動駆動部２２の先端に移動駆動部２２の径よりも小径に形成し、その外周を円筒に形成した小径部２６と、小径部２６に配設した係合片２８とを有するものである。
【００２２】
したがって、本実施の形態の流体管２９は、図６に示すように、移動駆動部２２を通過して、移動駆動部２２の下端にある小径部２６から突出し、ノズルカバー３０の内部に挿着されている噴射ガイド３５に接続されている。噴射ガイド３５には噴射口３６が配設されていて、流体管２９の洗浄水は噴射ガイド３５の噴射口３６から噴射される。なお、噴射口３６にはノズルカバー３０の噴射ガイド口３７が位置し、噴射口３６以外の位置を覆っている。故に、通常は、ノズルカバー３０が汚れる可能性があるが、ノズルカバー３０を取り外して洗浄することにより、常に、ノズルカバー３０を清潔に維持することができる。
【００２３】
次に、図７及び図８を用いて、本実施の形態の人体局部洗浄装置の防水カバー８０について説明する。
本実施の形態のシャワー用電気モータ１１は、内部に減速機構を有していて、その出力軸１４は減速機構を介在した後の回転を出力する。シャワー用電気モータ１１はシャワー用ノズル本体２０の下面のラック２１よりも下の位置に配設されている。当該出力軸１４には歯車１３が機械的に接続されており、また、歯車１３はピニオン１２と噛み合っている。また、歯車１３はシャワー用電気モータ１１の出力軸１４を収容する略円筒状軸１３ａで接続されており、歯車１３の沿面を流れる付着した水が直接シャワー用電気モータ１１の出力軸１４に到達し難い構造になっている。
シャワー用電気モータ１１は全体の外形が略円柱形であり、その歯車１３側は略全面を合成樹脂からなる防水カバー８０の端面部８１に接続している。端面部８１を貫通している出力軸１４は、端面凸部８１ａに配設したＯリング８１ｂで封止している。また、歯車１３と端面部８１が接触しない構造となっている。
【００２４】
防水カバー８０は、シャワー用電気モータ１１の外周を少なくとも１８０度以上のシャワー用電気モータ１１の中心の角度θだけ覆う周面部８２を有している。周面部８２はシャワー用電気モータ１１の略長さ以上の幅を有し、シャワー用電気モータ１１の外周に水滴が付着するのを防止するものである。また、シャワー用電気モータ１１の外周にはリード線端子等のコネクタ１５が配設されており、そのコネクタ１５に対しても水滴が付着し、その水がコネクタ１５内に浸入しないようにモールドすると共に、そのコネクタ１５に水滴がかからないようにしている。
【００２５】
また、本実施の形態の防水カバー８０には、シャワー用電気モータ１１と防水カバー８０とを同時に本体ベース２に取付ける取付部８６を有しており、螺子によってシャワー用電気モータ１１と防水カバー８０とを本体ベース２に堅固に取付けている。また、周面部８２には連続して流体管保持部８３を有している。流体管保持部８３は、流体管４１ａと流体管４１ｂが縺れたり、相互接触したりするのを防止するガイドとなっている。しかし、流体管４１ａ，４１ｂは可撓性に富む材料からなるものであるから、流体管４１ａ，４１ｂに圧力を加えないようにソフトに保持するものである。なお、本実施の形態の防水カバー８０の流体管保持部８３に外力が伝わり難いように、また、流体管４１ａ，４１ｂに外力が加わり難いように本体ベース２の面に当接し、流体管保持部８３が変位しないようにする案内板部８４を形成している。
【００２６】
防水カバー８０には、ピニオン１２を支持する支軸部８５を有している。この支軸部８５は、一端を本体ベース２に軸支された軸の他端を軸支し、ピニオン１２が当該軸を中心に自由回転できるように保持するものである。但し、ピニオン１２は、シャワー用電気モータ１１の歯車１３と噛み合い、かつ、ラック２１と噛み合っているから、シャワー用電気モータ１１の回転によって、ラック２１が形成されているシャワー用ノズル本体２０を本体ベース２から伸縮移動自在としている。
また、防水カバー８０の下端（端面部８１の下端８１ｄ）は、端面部８１または周面部８２の何れかの最下位置がシャワー用電気モータ１１の最下位置及びコネクタ１５の最下位置よりも下に位置し、防水カバー８０に付着した水滴が防水カバー８０の沿面以外に流れ込まないようにし、そこから滴下するようにしている。
【００２７】
図５に示すように、シャワー用電気モータ１１が駆動され、シャッタ５を開けてシャワー用ノズル本体２０が下降する。シャッタ５より外側に露出するのは、シャワー用ノズル本体２０のα点よりも先端となる。しかし、シャワーの使用により局部または便器で跳ね返る水滴は、β点を越えた位置に付着したり、直接、シャワー用電気モータ１１の位置まで跳んだりする。すると、シャッタ５を閉じたシャワー用ノズル本体２０の位置まで上昇して格納位置に定まると、シャワー用ノズル本体２０のα点はピニオン１２にまで到着する。シャワー用ノズル本体２０のα点がピニオン１２にまで到達することは、その上部に位置するβ点はピニオン１２を越えた位置となる。ラック２１に付着した水滴は、ラック２１の各歯先の下端に表面張力で水滴となる。そして、次回、シャワー用電気モータ１１が駆動されシャワー用ノズル本体２０が下降するとき、ラック２１の各歯の下端の水滴は、ピニオン１２に引き渡されることになる。ピニオン１２に付着した水滴は、歯車１３と噛み合うとき、その水滴が大きいと、両歯車で押し出された水滴となり、ここで落下することになる。
【００２８】
ピニオン１２に付着した水滴が小さく、歯車１３と噛み合ったとき、その水滴が歯車１３に伝えられ、その回転が停止すると、歯車１３の上部位置の水滴が下方に移動を開始する。歯車１３の最上部位置の水滴は、その出力軸１４方向に流れることになる。このとき、歯車１３はシャワー用電気モータ１１の出力軸１４を収容する略円筒状軸１３ａとなっており、シャワー用電気モータ１１の出力軸１４に行き届く水は僅かである。また、シャワー用電気モータ１１の歯車１３側は、略全面を合成樹脂からなる防水カバー８０の端面部８１を貫通している出力軸１４が、端面凸部８１ａに配設したＯリング８１ｂで封止されているから、当該水滴がシャワー用電気モータ１１の内部に入り込むことはない。
【００２９】
したがって、使用中に局部または便器から跳ね返る水滴は、シャワー用電気モータ１１に直接付着せず防水カバー８０の沿面を流れることになり、その最下端から水滴が落下し、シャワー用電気モータ１１や、コネクタ１５に水が浸入することがない。また、ピニオン１２に付着した水滴も、シャワー用電気モータ１１の出力軸１４に行き着く水は僅かとなり、当該水滴がシャワー用電気モータ１１の内部に入り込むことはい。
なお、歯車１３は、その沿面半径方向の断面が略Ｔ字状を呈しており、歯を形成した位置よりも中間が薄く形成されている。故に、歯車１３の沿面は、水滴が付着してもその中心部、特に、シャワー用電気モータ１１の出力軸１４に行き届く水は殆どないように構成されている。
【００３０】
次に、図１、図３、図４、図９及び図１０を用いて、本実施の形態の人体局部洗浄装置のビデ用ノズル６０側について説明する。
図１、図３、図４、図９及び図１０において、ビデ用電気モータ５１はビデ用ノズル本体６０を移動させるピニオン５２を回転させ、ピニオン５２と噛み合うラック６１によってビデ用ノズル本体６０を上下方向に移動させるものである。ビデ用電気モータ５１は、１個以上のギアを介してビデ用ノズル本体６０を移動させるピニオン５２を正回転または逆回転させ、そのピニオン５２と噛み合うラック６１によってビデ用ノズル本体６０を上下方向にスライド移動させるものである。このビデ用ノズル本体６０は、上下の対向する平行面からなる２面を直線平面とし、その下方の面にラック６１を形成している。このラック６１は、ビデ用ノズル本体６０を上下方向にスライド移動する範囲以上に形成されている。このように、ビデ用ノズル本体６０にラック６１を配設した範囲は、ピニオン５２を正回転または逆回転させることによって、ビデ用ノズル本体６０を移動させる移動駆動部６２を形成している。
【００３１】
ビデ用ノズル本体６０は、ビデとしてソフトな噴流が好まれることからシャワー用ノズル本体２０のように、格別、流体抵抗を低くする必要がないので、１本の流体管６４が接続され、ビデ用ノズル本体６０の移動駆動部６２の上端に接続端部６７を介して接続されている。即ち、ビデ用ノズル本体６０には、ラック６１を配設した移動駆動部６２の上部に１個の導入口６４ａを配設し、更に、導入口６４ａに１本の流体管６４を接続し、洗浄水送給バルブ６５からビデ用ノズル本体６０までの洗浄水の通路としている。フレキシブル流体管６４が接続された移動駆動部６２の上端に配設され接続端部６７は、本実施の形態においては、直接移動駆動部６２の内部を介して洗浄水を供給する流路を形成している。
【００３２】
また、本実施の形態の移動駆動部６２は、ビデ用ノズル本体６０の認識しやすさにより平行面からなる２面を直線平面としているが、本発明を実施する場合には、少なくとも一面、即ち、下方向の面を平面とし、その平面にラック６１を形成するものであればよい。勿論、この平面は、歯と歯の間の歯底面のみを平面とするものであってもよい。したがって、移動駆動部６２は、ラック６１と噛み合い、回転自在に固定されたピニオン５２の回転によって本体ベース２から進退する伸縮移動自在となっている。
【００３３】
ビデ用ノズル本体６０の移動駆動部６２の下端には、シャワー用ノズル本体２０と同様、噴射口を配設したノズルカバー７０を有している。ノズルカバー７０には、ビデ用ノズル本体６０の長さ方向に挿入し、スナップ動作による係合を行う。ノズルカバー７０の回転角度は、本実施の形態では、ビデ用ノズル本体６０の上面も平面とした外形としているから、ビデ用ノズル本体６０の移動駆動部６２の外周形状とノズルカバー７０の外周形状が一致したとき、即ち、長さ方向の直角断面が略円形であるから、ビデ用ノズル本体６０の上平面が移動駆動部６２とノズルカバー７０の上平面が一致したとき、係合位置となり、これは、視覚的でも確認で、手触りでも確認できる。
【００３４】
次に、図９及び図１０を用いて、本実施の形態の人体局部洗浄装置の防水カバー９０側について説明する。
本実施の形態のビデ用電気モータ５１は、シャワー用電気モータ１１と同様、内部に減速機構を有していて、その出力軸５４は減速機構を介在して出力する構成となっている。当該出力軸５４には歯車９３が接続されており、また、歯車９３にはピニオン５２が噛み合っている。歯車９３はビデ用電気モータ５１の出力軸５４を収容する略円筒状軸９３ａとなっており、歯車９３の沿面を流れる水が直接ビデ用電気モータ５１の出力軸５４に接触し難い構造になっている。
【００３５】
ビデ用電気モータ５１はシャワー用電気モータ１１と同様、全体の外形が略円柱形であり、その歯車９３側は略全面を合成樹脂からなる防水カバー９０の端面部９１に接続している。端面部９１を貫通している出力軸５４は、端面凸部９１ａに配設したＯリング９１ｂで封止している。また、歯車９３と端面部９１が接触しない間隔を設けた構造となっている。
【００３６】
防水カバー９０は、ビデ用電気モータ５１の外周を少なくとも上面及び前面を覆う、例えば、ビデ用電気モータ５１の中心の角度θが略１８０度以上覆う周面部９２を有している。周面部９２はビデ用電気モータ５１の略長さ以上の幅を有し、ビデ用電気モータ５１の外周に水滴が付着するのを防止するものである。また、ビデ用電気モータ５１の外周にはコネクタ５５が配設されており、そのコネクタ５５に対しても水滴が付着し、その水がコネクタ５５内に浸入しないようにモールドすると共に、そのコネクタ５５に水滴がかからないようにしている。
【００３７】
また、本実施の形態の防水カバー９０には、ビデ用電気モータ５１と防水カバー９０とを同時に本体ベース２に取付ける取付部９６を有しており、螺子によってビデ用電気モータ５１と防水カバー９０とを堅固に本体ベース２に取付けている。また、防水カバー９０には、ピニオン５２を支持する支軸部９５を有している。この支軸部９５は、一端を本体ベース２に軸支された軸の他端を軸支し、ピニオン５２が当該軸を中心に自由回転できるように保持するものである。但し、ピニオン５２は、ビデ用電気モータ５１の歯車９３と噛み合い、かつ、ラック６１と噛み合っているから、ビデ用電気モータ５１の回転によって、ラック６１が形成されているビデ用ノズル本体６０を本体ベース２から伸縮移動自在としている。
【００３８】
そして、防水カバー９０の下端は、端面部９１または周面部９２の何れかの最下位置（端面部９１の最下位置９２ｄ）がビデ用電気モータ５１の最下位置及びコネクタ５５の最下位置よりも下に位置し、防水カバー９０に付着した水滴が防水カバー９０の沿面以外に流れ込まないようにし、そこから滴下するようにしている。なお、防水カバー９０の下端は、リード線ガイド９８が形成されているので、リード線ガイド９８の下端が端面部９１の最下位置となっている。このリード線ガイド９８は必要に応じて設けるもので、その位置も任意に設定できる。
【００３９】
図５に示すシャワー用電気モータ１１、シャワー用ノズル本体２０と同様、使用中に局部または便器から跳ね返る水滴は、直接、ビデ用電気モータ５１の位置まで跳ぶ可能性もある。すると、格納位置に定まったビデ用ノズル本体６０のラック６１に付着した水滴は、ラック６１の各歯の下端に表面張力で水滴となる。そして、次回、ビデ用電気モータ５１が駆動されビデ用ノズル本体６０が下降するとき、ラック６１の各歯の下端の水滴は、ピニオン５２に引き渡すことになる。ピニオン５２に付着した水滴は、歯車９３と噛み合うとき、その水滴が大きいと、両歯車で押し出され、そこで落下することになる。
【００４０】
ピニオン５２に付着した水滴が小さく、歯車９３と噛み合ったとき、その水滴が歯車９３に伝えられると、その回転が停止したとき、歯車９３の上部位置の水滴が下方に移動を開始する。このとき、歯車９３の最上部位置の水滴は、その出力軸５４方向に流れることになる。このとき、歯車９３はビデ用ノズル本体６０の出力軸５４を略円筒状軸９３ａが収容するから、ビデ用ノズル本体６０の出力軸５４に行き届く水は殆どない。また、ビデ用ノズル本体６０の歯車９３側は、合成樹脂からなる防水カバー９０の端面部９１を貫通している出力軸５４が、端面凸部９１ａに配設したＯリング９１ｂで封止しているから、当該水滴がビデ用電気モータ５１の内部に入り込むことはない。
【００４１】
したがって、使用中に局部または便器から跳ね返る水滴はビデ用電気モータ５１に直接付着せず防水カバー９０の沿面を流れることになり、その最下端から水滴が落下し、ビデ用電気モータ５１や、コネクタ５５を損傷させることがない。また、ピニオン５２に付着した水滴は、ビデ用電気モータ５１の出力軸５４に行き着く水は殆どなく、当該水滴がビデ用ノズル本体６０の内部に入り込むことはなくなる。
なお、歯車９３は、その沿面半径方向の中央部を凹ませて窪みが形成されており、歯を形成した位置よりもその中間が薄く形成されている。故に、歯車９３の沿面は、水滴が付着してもその中心部、特に、ビデ用電気モータ５１の出力軸５４に行き届く水は殆どないように構成されている。
【００４２】
上記実施の形態における人体局部洗浄装置１０において、シャワー用ノズル本体２０及びビデ用ノズル本体６０は、何れも、少なくとも一面を平面とし、当該平面にラック２１，６１を形成し、ラック２１，６１と噛み合うピニオン１２，５２の回転によって本体ベース２から伸縮移動自在としたノズル本体を構成するものである。
また、上記実施の形態における人体局部洗浄装置１０において、シャワー用電気モータ１１またはビデ用電気モータ５１は、ピニオン１２，５２を回転させる電気モータを構成するものである。
【００４３】
そして、上記実施の形態における人体局部洗浄装置１０において、防水カバー８０，９０は、少なくともシャワー用電気モータ１１またはビデ用電気モータ５１からなる電気モータの略１８０度以上の外周及びコネクタ１５，５５を覆うと共に、シャワー用電気モータ１１またはビデ用電気モータ５１からなる電気モータの一端を覆い、かつ、シャワー用電気モータ１１またはビデ用電気モータ５１からなる電気モータの一端を覆った下端は、前記シャワー用電気モータ１１またはビデ用電気モータ５１の最下端よりも下に位置するものである。しかし、シャワー用電気モータ１１またはビデ用電気モータ５１からなる電気モータの略１８０度以上の外周及びコネクタ１５，５５を覆うということは、観点を変えれば、シャワー用電気モータ１１またはビデ用電気モータ５１からなる電気モータの上部及びシャッタ側の前面の外周及び前記電気モータのコネクタを覆うものであればよい。
【００４４】
更に、シャワー用電気モータ１１またはビデ用電気モータ５１からなる電気モータの一端を覆った下端は、水切りとするために、シャワー用電気モータ１１またはビデ用電気モータ５１の最下端よりも下に位置するものであり、防水カバー８０，９０からシャワー用電気モータ１１またはビデ用電気モータ５１に水が回り込まなければ、同一の下部位置とすることもできる。
【００４５】
上記本発明の実施の形態における人体局部洗浄装置１０は、少なくとも一面を平面とし、当該平面にラック２１，６１を形成し、ラック２１，６１と噛み合うピニオン１２，５２の回転によって本体ベース２から伸縮移動自在としたシャワー用ノズル本体２０またはビデ用ノズル本体６０からなるノズル本体と、前記ピニオンを回転させるシャワー用電気モータ１１またはビデ用電気モータ５１からなる電気モータと、シャワー用ノズル本体２０またはビデ用ノズル本体６０からなるノズル本体をスライド移動自在に保持し、シャワー用ノズル本体２０またはビデ用ノズル本体６０からなるノズル本体のスライド移動する直線軌道の下部にシャワー用電気モータ１１またはビデ用電気モータ５１からなる電気モータを取付ける本体ベース２と、少なくともシャワー用電気モータ１１またはビデ用電気モータ５１からなる電気モータの略１８０度以上の外周及びコネクタ１５，５５を覆うと共に、シャワー用電気モータ１１またはビデ用電気モータ５１からなる電気モータの一端を覆い、かつ、シャワー用電気モータ１１またはビデ用電気モータ５１からなる電気モータの一端を覆った下端は、前記シャワー用電気モータ１１またはビデ用電気モータ５１の最下端よりも下に位置する防水カバー８０，９０を具備するものである。
【００４６】
したがって、上記実施の形態の人体局部洗浄装置１０によれば、シャワー用ノズル本体２０またはビデ用ノズル本体６０からなるノズル本体の下面に形成したラック２１，６１が水滴をつけたまま原位置に上昇し、ラック２１，６１と噛み合うシャワー用電気モータ１１またはビデ用電気モータ５１からなる電気モータで回転させられるピニオン１２，５２が、その水滴を運んでも、少なくともシャワー用電気モータ１１またはビデ用電気モータ５１からなる電気モータには、略１８０度以上の外周を囲む角度θの周面部８２，９２及びコネクタ１５，５５を覆う防水カバー８０，９０が設けられており、また、シャワー用電気モータ１１またはビデ用電気モータ５１からなる電気モータの一端を覆い、下端はシャワー用電気モータ１１またはビデ用電気モータ５１からなる電気モータの最下端よりも下に位置するから、ピニオン１２，５２が水滴をシャワー用電気モータ１１またはビデ用電気モータ５１からなる電気モータの一端を覆う防水カバー８０，９０の表面側に運んでも、水滴が防水カバー８０，９０の表面に沿って流れ、シャワー用電気モータ１１またはビデ用電気モータ５１からなる電気モータ側に入り込む可能性がなくなる。仮に、シャワー用電気モータ１１またはビデ用電気モータ５１からなる電気モータの出力軸１４，５４に水滴が付いても、水滴が防水カバー８０，９０で遮断され、シャワー用電気モータ１１またはビデ用電気モータ５１からなる電気モータの内部にまで浸透しなくなる。また、防水カバー８０，９０は、少なくともシャワー用電気モータ１１またはビデ用電気モータ５１からなる電気モータの略１８０度以上の外周を周面部８２，９２によってコネクタ１５，５５と共に覆うものであるから、シャワー用ノズル本体２０またはビデ用ノズル本体６０からなる電気モータに電力または信号を送受するコネクタ１５，５５においても、水滴が付着することがない。そして、シャワー用電気モータ１１またはビデ用電気モータ５１からなる電気モータの一端を覆い、かつ、シャワー用電気モータ１１またはビデ用電気モータ５１からなる電気モータの一端を覆った下端は、シャワー用電気モータ１１またはビデ用電気モータ５１からなる電気モータの最下端よりも下に位置するから、水滴が付着して自然落下するとき、防水カバー８０，９０の表面からシャワー用電気モータ１１またはビデ用電気モータ５１からなる電気モータ側及びコネクタ１５，５５側に回り込むことがない。
【００４７】
また、上記実施の形態における人体局部洗浄装置１０は、防水カバー８０，９０がラック２１，６１と噛み合うピニオン１２，５２を軸支するものであるから、シャワー用ノズル本体２０またはビデ用ノズル本体６０からなるノズル本体の構造及び本体ベース２の構造を簡単化でき、また、組立が容易になる。
【００４８】
そして、上記実施の形態における人体局部洗浄装置１０の防水カバー８０，９０は、コネクタ１５，５５に接続されるリード線１５ａ，５５ａ及び／またはシャワー用ノズル本体２０またはビデ用ノズル本体６０からなるノズル本体に洗浄水を供給する流体管４１ａ，４１ｂを保持するものであるから、流体管４１ａ，４１ｂを保持する部品を特別なものとして用意する必要がなくなり、部品点数が少なくて済む。また、水滴の流れる方向以外にリード線１５ａ，５５ａ及び／または流体管４１ａ，４１ｂを設けることを回避でき、リード線１５ａ，５５ａ及び／または流体管４１ａ，４１ｂに水が伝うのを防止できる。
【００４９】
更に、上記実施の形態における人体局部洗浄装置１０の防水カバー８０，９０は、シャワー用電気モータ１１またはビデ用電気モータ５１からなる電気モータを一体に接合し、シャワー用電気モータ１１またはビデ用電気モータ５１からなる電気モータを本体ベース２に取付ける際に、防水カバー８０，９０と本体ベー２スとの取付けによって行うものであるから、両者間の精度によって、取付けが決定されるので、精度の良い組み付けが可能となる。
【図面の簡単な説明】
【００５０】
【図１】図１は本発明の実施の形態１における人体局部洗浄装置の全体斜視図である。
【図２】図２は本発明の実施の形態１における人体局部洗浄装置の右側面図である。
【図３】図３は本発明の実施の形態１における人体局部洗浄装置の左側面図である。
【図４】図４は図２の矢印Ａ方向から見たＡ矢視図である。
【図５】図５は本発明の実施の形態１における人体局部洗浄装置のノズル本体を下方向に移動させた状態の右側面図である。
【図６】図６は本発明の実施の形態１における人体局部洗浄装置のシャワー用ノズル本体の長さ方向の中央拡大断面図である。
【図７】図７は本発明の実施の形態１における人体局部洗浄装置の防水カバーの斜視図である。
【図８】図８は本発明の実施の形態１における人体局部洗浄装置の防水カバーの取付け状態を示す要部断面図である。
【図９】図９は本発明の実施の形態１における人体局部洗浄装置の他の事例の防水カバーの斜視図である。
【図１０】図１０は本発明の実施の形態１における人体局部洗浄装置の防水カバーの取付け状態を示す要部断面図である。
【符号の説明】
【００５１】
２    本体ベース
１０    人体局部洗浄装置
１１    シャワー用電気モータ
１２，５２    ピニオン
１４，５４    出力軸
１５，５５    コネクタ
２０    シャワー用ノズル本体
２１，６１    ラック
５１    ビデ用電気モータ
６０    ビデ用ノズル本体
８０，９０    防水カバー
８１，９１    端面部
８２，９２    周面部
【図１】
2007239246.tif 000003
【図２】
2007239246.tif 000004
【図３】
2007239246.tif 000005
【図４】
2007239246.tif 000006
【図５】
2007239246.tif 000007
【図６】
2007239246.tif 000008
【図７】
2007239246.tif 000009
【図８】
2007239246.tif 000010
【図９】
2007239246.tif 000011
【図１０】
2007239246.tif 000012